(57)【要約】【課題】本発明の課題は、植栽容器の側面からくる冷熱或いは太陽光の照射による高温熱を植栽容器内の植栽用土に伝わらないように保温或いは放熱を行い、用土の凍結や高温乾燥を防止可能とした植栽容器を提供することである。【解決手段】本発明の植栽容器は、植栽容器の外壁と用土空間の間に内壁、外壁と内壁の間に上下方向に空気を移動可能にする移動通路をなす空隙、外壁の下端に外気と空隙を連通する連通口、空隙の上端に外気に開いた開口部を備えたことで、空気の冷却または高温熱による昇温により空気を上方向または下方向に移動して冷熱または高温熱を外気に排出して用土への伝達を防止する。【選択図】図１
2013201994.tif 000002
【特許請求の範囲】
【請求項１】
用土収納空間と外気に立ち状態で面した外壁の間に立ち状態で備えられた内壁を有し、前記外壁と前記内壁の間に空隙を備え、前記外壁の下端には、前記空隙と前記外壁の外側とを連通する連通穴が備えられ、前記空隙の上端には、前記空隙から外気に開いた開口部が備えられたことで、前記連通穴と前記開口部の一方を空気の入口、他方を出口とし、前記空隙は、前記外壁を通じて伝達される冷熱による冷却または高温熱による昇温による空気の密度増大または密度低減による前記空気の下降移動または上昇移動する移動通路となることで、前記空気の移動とともに冷熱または高温熱を外気に排出し、前記用土に伝達されることを防止したことを特徴とする植栽容器。
【請求項２】
前記開口部が前記空隙の上方向に向けて備えられたことを特徴とする請求項１記載の植栽容器。
【請求項３】
前記開口部が前記空隙の横方向に向けて備えられたことを特徴とする請求項１または請求項２記載の植栽容器。
【請求項４】
前記内壁が板状体であることを特徴とする請求項１から請求項３のいずれか１つに記載の植栽容器。
【請求項５】
前記内壁は、外鉢に備えられる内鉢の側壁であり、前記外壁は、前記外鉢の側壁であることを特徴とする請求項１から請求項３のいずれか１つに記載の植栽容器。
【請求項６】
前記外鉢と前記内鉢の一方が陶器製の鉢であり、他方がプラスチック製の鉢であることを特徴とする請求項５記載の植栽容器。
【請求項７】
前記内鉢より前記空隙の分、外側に大きく、且つ前記連通穴を備えたことを特徴とする請求項１から請求項６のいずれか１つに記載の植栽容器の外鉢用の容器。
【発明の詳細な説明】
【技術分野】
【０００１】
本発明は、植栽物の周りの土の温度を冬場の極度の低温と夏場の極度の高温から守り、植栽物を守ることが可能な植栽容器に関するものである。
【背景技術】
【０００２】
従来、植栽容器としては、例えば、身近に見ることができる植木鉢でみると、プラスチックや素焼きの鉢が用いられ、土と容器側面は、夏場の太陽光を受けて、温度が上昇し、水分が蒸発し、植栽物は、水不足で枯れてしまう。又、冬場は、寒気を容器側面から受けて、土面が冷却され、土の水分が氷結して植栽物は、ダメージを受ける。
このような状況で、二重鉢の提案があるが、未だ十分ではない。二重鉢の先行文献は、以下に示すことができる。図３は、二重鉢での従来の各種の植栽容器の例を示す図である。
二重鉢であるから、いずれも内鉢と外鉢の間に環状の隙間を設けたものであるが、３−Ａは、特許文献１に示されたものであり、睡蓮などの水生植物を植えるための水鉢の例であるので、二重鉢での環状の隙間も水を満たすため、外鉢の側面には、水を満たす高さ位置に貫通穴があり、水はここまで溜まる。内鉢には、この貫通穴の高さ位置の上側と下側の両方に多数の穴があり、下側は水を満たす穴、上側は空気穴となっている。温度調整を目的にしたものでない。３−Ｂは、特許文献２に示されたもので、環状の隙間の空気層を断熱層として利用している。空気は、熱の良導体ではないので、太陽光により暖められた鉢側面の熱は、すばやく伝わることはないが、ゆっくり伝わって、いずれ鉢側面の温度まで上昇してしまう。又、逆に熱が逃げにくいのでも不都合である。空気の部分に発泡ウレタンなどの断熱材を満たすことも記述されているが、事態は同じであり不都合である。３−Ｂと同じく、環状の隙間の空気が動かない点では、３−Ｃから３−Ｄも同じである。
特許文献３から特許文献４に示されたものであり、環状の隙間が、前者は、上端が閉じているという表現で、後者は、閉空間という表現で空気の流通が無く断熱空間として使用していることを示している。後者では、外鉢の側面の下方にオーバーフロー用の排水孔を有しているが、断熱のために空気の流通をしない閉空間を目指すために上方に空気流通の孔はない。断熱を利用していることでは、不都合点は、３−Ｂの例と同じである。
３−Ｅと３−Ｆは、両者は似通っている。３−Ｂから３−Ｄでも内鉢の側面には、空気の連通孔が多数存在したが、３−Ｅ、３−Ｆも同様である。この空気を供給するために、３−Ｅ、３−Ｆの例とも外鉢にも通気穴が存在する。３−Ｅでは、外鉢の通気穴が内鉢内の土に空気を供給するためを目的にしているため、通気穴が、側面の上端と下端に存在せず、又、その大きさも十分ではないので空気を対流させて放熱等を起こすには不十分である。
３−Ｆでは、外鉢の側面の通気穴が十分に大きいが、上下方向に開いているので、上下方向に一様な温度になり、温度勾配ができない或いは、緩和される。そのため、対流による放熱が起こりにくい。又、通気穴として大きく開いた部分は、内鉢の側面が露出しているので、冷気や太陽の照射による熱気を直接受けるためかえって不都合を招来する。３−Ａから３−Ｆのいずれも、外鉢の側面からくる温熱・冷熱を、空気を積極的に上下の開口部から出入りさせて熱を外に運び、内鉢方向へ伝わらなくし、放熱或いは保温する手段は取られていない。
【先行技術文献】
【特許文献】
【０００３】
【特許文献１】特開２００６−１９７８８５
【特許文献２】登録実用新案第３０５９６１５
【特許文献３】特開２００３−６１４７５
【特許文献４】特開２００９−２８１９４
【特許文献５】公開実用新案平１−１４０２４１
【特許文献６】特開平８−２３７８６
【発明の概要】
【発明が解決しようとする課題】
【０００４】
本発明の課題は、植栽容器の側面からくる冷熱或いは太陽光の照射による温熱を植栽容器内の植栽用土に伝わらないように保温或いは放熱を行い、用土の凍結や高温乾燥を防止可能とした植栽容器を提供することである。
【課題を解決するための手段】
【０００５】
本発明の植栽容器は、植栽容器の外壁と用土空間の間に内壁、外壁と内壁の間に上下方向に空気を移動可能にする移動通路をなす空隙、外壁の下端に外気と空隙を連通する連通口、空隙の上端に外気に開いた開口部を備えたことで、空気の冷却または高温熱による昇温により空気を上方向または下方向に移動して冷熱または高温熱を外気に排出して用土への伝達を防止することを特徴とする。以下請求項に沿って述べる。
【０００６】
請求項１記載の発明は、植栽容器であって、用土収納空間と外気に立ち状態で面した外壁の間に立ち状態で備えられた内壁を有し、前記外壁と前記内壁の間に空隙を備え、前記外壁の下端には、前記空隙と前記外壁の外側とを連通する連通穴が備えられ、前記空隙の上端には、前記空隙から外気に開いた開口部が備えられたことで、前記連通穴と前記開口部の一方を空気の入口、他方を出口とし、前記空隙は、前記外壁を通じて伝達される冷熱による冷却または高温熱による昇温による空気の密度増大または密度低減による前記空気の下降移動または上昇移動する移動通路となることで、前記空気の移動とともに冷熱または高温熱を外気に排出し、前記用土に伝達されることを防止したことを特徴とする。
【０００７】
請求項２記載の発明は、請求項１記載の植栽容器において、前記開口部が前記空隙の上方向に向けて備えられたことを特徴とする。
【０００８】
請求項３記載の発明は、請求項１または請求項２記載の植栽容器において、前記開口部が前記空隙の横方向に向けて備えられたことを特徴とする。
【０００９】
請求項４記載の発明は、請求項１から請求項３のいずれか１つに記載の植栽容器において、前記内壁が板状体であることを特徴とする。
【００１０】
請求項５記載の発明は、請求項１から請求項３のいずれか１つに記載の植栽容器において、前記内壁は、外鉢に備えられる内鉢の側壁であり、前記外壁は、前記外鉢の側壁であることを特徴とする。
【００１１】
請求項６記載の発明は、請求項５記載の植栽容器において、前記外鉢と前記内鉢の一方が陶器製の鉢であり、他方がプラスチック製の鉢であることを特徴とする。
【００１２】
請求項７記載の発明は、請求項１から請求項６のいずれか１つに記載の植栽容器の外鉢用の容器であって、前記内鉢より前記空隙の分、外側に大きく、且つ前記連通穴を備えたことを特徴とする。
【発明の効果】
【００１３】
以上の様に構成されているので、本発明による植栽容器は、植栽容器の側面からくる冷熱或いは太陽光の照射による高温熱を植栽容器内の植栽用土に伝わらないように保温或いは放熱を行い、用土の凍結や高温乾燥を防止することが可能である
【図面の簡単な説明】
【００１４】
【図１】本発明の植栽容器の一実施態様を示す図である。
【図２】本発明の植栽容器の別の実施態様を示す図である。
【図３】二重鉢での従来の各種の植栽容器の例を示す図である。
【発明を実施するための形態】
【００１５】
本発明の植栽容器は、植栽容器の外壁と用土空間の間に内壁、外壁と内壁の間に上下方向に空気を移動可能にする移動通路をなす空隙、外壁の下端に外気と空隙を連通する連通口、空隙の上端に外気に開いた開口部を備えたことで、空気の冷却または高温熱による昇温により空気を上方向または下方向に移動して冷熱または高温熱を外気に排出して用土への伝達を防止することを特徴とする。
以下図に沿って説明する。図は、植栽容器の斜視図であり、前方を断面で示している。
【００１６】
図１は、本発明の植栽容器の一実施態様を示す図である。この図では、左側の立面が外気からの冷熱や、特に太陽の照射を受けた高温熱を受けると仮定したものとなっている。
冷熱の場合も、高温熱の場合も機能は同じように考えてよいので、以後は、高温熱の場合で記述する。左側の立面は、外気や太陽に面して露出した外壁１０１が立面としてあり、通常の植栽容器では、この内側がすべて用土が入るのであるが、用土１０２と外壁１０１の間には、内壁１０３が介在して立てられていて、外壁１０１と内壁１０３の間には空隙１０４を備えている。外壁１０１の下端には、外側と空隙１０４を連通する連通穴１０５が備えられている。下端の連通穴１０５は、対流による空気の流通を良くするため植栽容器の長さ方向（横方向）に長い穴であることがよい。連通穴１０５に対応して、空隙１０４の上端は、外気に開いた、やはり植栽容器の長さ方向（横方向）に長い開口部１０６を備えている。尚、強度補強のため、外壁１０１と内壁１０３の間には、支持体１０７を備えていてもよい。下端の連通穴１０５と空隙１０４と上端の開口部１０６によって、空気が上方に移動するための移動通路１０８が形成され、連通穴１０５と開口部１０６は、空気の出と入りのための口を担って流動を促進している。
このような構成において、外壁１０１が高温熱により暖められると、空隙１０４の空気が高温になり膨張して密度が小さくなり軽くなって、移動通路１０８を上昇し、開口部１０６から外に出て、高温熱は外に排出される。空隙１０４内で空気の上昇により、低圧になるので、空隙１０４内の空気より低温の空気が外から連通穴１０５を通過して入ってきて、高温になることを防止してくれる。このため、用土１０２は高温により乾燥することを回避することができる。尚、図１の例は、内壁が板状体である例となっている。
【００１７】
図２は、本発明の植栽容器の別の実施態様を示す図である。
２−Ａは、横方向に長いプランター、２−Ｂは、円形鉢の形状をしている。図１と違って、
冷熱や高温熱は容器の全側壁から来る例である。２−Ａ、２−Ｂとも外壁を有する外鉢と内壁を有する内鉢は、使用時は図のように一体にセットされているが、取り外しが自在なものでもよい。内鉢２０１の凹部２０２は、用土が入る空間であるが、ここでは用土は示していない。内鉢２０１の底面２０３には水抜き穴２０４が備えられている。内鉢２０１の側壁である内鉢側壁２０５には、用土に空気を供給するための空気穴があってもよい。内鉢２０１は図のように外鉢２１０の中に配置されていて、内鉢側壁２０５と外鉢の側壁である外鉢側壁２１１の間には、空隙２１２を備えている。
外鉢側壁２１１の下端には、外側と空隙２１２を連通する連通穴２１３が備えられている。下端の連通穴２１３は、対流による空気の流通を良くするため植栽容器の長さ方向（横方向）に長い穴であることがよい。連通穴２１３に対応して、空隙２１２の上端は、外気に開いた、やはり植栽容器の長さ方向（横方向）に長い開口部２１４を備えている。尚、外鉢２１０と内鉢２０１の間には、支持体２１５を備えていてもよい。下端の連通穴２１３と空隙２１２と上端の開口部２１４によって、空気が上方に移動するための移動通路２１６が形成され、連通穴２１２と開口部２１４は、空気の出と入りのための口を担って流動を促進している。尚、冷気の場合は、空気は移動通路２１６を下に移動する。
このような構成において、外鉢側壁２１１が高温熱により暖められると、空隙２１２の空気が高温になり膨張して密度が小さくなり軽くなって、移動通路２１６を上昇し、開口部２１４から外に出て、高温熱は外に排出される。空隙２１２内は空気の上昇により、低圧になるので、空隙２１２内の空気より低温の空気が外から連通穴２１３を通過して入ってきて、高温になることを防止してくれる。このため、内鉢内の図示されない用土は高温により乾燥することを回避することができる。尚、開口部２１４は、空隙２１２の上端にあれば、外鉢の側面に備えるなどの場合も色々の変更が可能である。
【００１８】
２−Ｂは、円形鉢になっているので、２−Ａとの違いは、植栽容器の長さ方向（横方向）に長い穴である連通穴２１３と植栽容器の長さ方向（横方向）に長い開口部２１４が、円形鉢の円周方向に長くなる点が違うだけで、ほかは同じなので、説明は省略する。
２−Ｃには円形鉢が示されている。内鉢は、市販の通常の一重鉢を利用して、これより空隙分一回り大きな外鉢を準備し入れることで簡便に実現でき大変好都合であるが、外鉢は、２−Ｄのように下に連通口を供えれば、空隙分一回り大きな故に、これがそのまま開口部となって極めて容易に２−Ｃの状態が実現できる。勿論円形鉢にこだわるものではない。
【００１９】
尚、いずれの例でも、連通穴２１３と開口部２１４は、容器の長さ（横）方向に長いと記述したが、長さ方向に多くの穴を備えても実効的に同じである。
【００２０】
更に、外鉢と内鉢の一方を素焼きなどの陶器製、他方をプラスチック製にすることも、以下の特徴があって好都合である。
外鉢がプラスチック製では、陶器製の内鉢が外側に出ないので、破壊から守りやすい。
プラスチック製の外鉢は連通口や開口部などの複雑な形成に有利である。プラスチック製の外鉢は、白色に作ることで太陽光を反射して高温になりにくい。内鉢の素焼きの面が外に面しないので温度が上がりにくいなどの利点がある。
内鉢がプラスチック製では、陶器が外側なので見栄えがよい。
【産業上の利用可能性】
【００２１】
以上のように本発明による植栽容器は、植栽容器の側面からくる冷熱或いは太陽光の照射による高温熱を植栽容器内の植栽用土に伝わらないように保温或いは放熱を行い、用土の凍結や高温乾燥を防止することが可能であるので、産業上の利用性が極めて大きい。
【符号の説明】
【００２２】
１０１  外壁
１０２  用土
１０３  内壁
１０４、２１２  空隙
１０５、２１３  連通穴
１０６、２１４  開口部
１０７、２１５  支持体
１０８、２１６  移動通路
２０１  内鉢
２０２  凹部
２０３  底面
２０４  水抜き穴
２０５  内鉢側壁
２１０  外鉢
２１１  外鉢側壁
【図１】
2013201994.tif 000003
【図２】
2013201994.tif 000004
【図３】
2013201994.tif 000005